(57)【特許請求の範囲】
【請求項１】
治具本体に設けられ、長手方向を水平に配置した鉄骨を上下から挟持可能な上側挟持部材と下側挟持部材とからなる挟持部を有する鉄骨建方用吊り治具であって、
下側挟持部材は、治具本体に固定され、
上側挟持部材は、鉄骨の長手方向に平行な軸周りに回動可能に治具本体に設けられるものであり、
挟持部に、上側挟持部材の回動を係止して鉄骨の挟持が解除されることを防ぐ外れ止め機構を設け、
上側挟持部材および外れ止め機構はそれぞれスリットを有し、上側挟持部材のスリットに外れ止め機構のスリットを嵌合係止することで、上側挟持部材の回動を係止するものであることを特徴とする鉄骨建方用吊り治具。
【請求項２】
挟持部が設けられた治具本体を水平方向に間隔をおいて少なくとも２つ並設して治具本体同士を連結したことを特徴とする請求項１に記載の鉄骨建方用吊り治具。
【請求項３】
挟持部を、治具本体の上下方向に所定間隔で複数設けたことを特徴とする請求項１または２に記載の鉄骨建方用吊り治具。
【請求項４】
挟持部を、治具本体の水平方向両側の異なる上下位置に設けたことを特徴とする請求項１〜３のいずれか一つに記載の鉄骨建方用吊り治具。
【請求項５】
治具本体に、吊り上げ装置の係合フックが係合するための係合孔を設けたことを特徴とする請求項１〜４のいずれか一つに記載の鉄骨建方用吊り治具。
【請求項６】
挟持部は、長手方向を水平に配置した山形鋼または溝形鋼を上下から挟持可能であることを特徴とする請求項１〜５のいずれか一つに記載の鉄骨建方用吊り治具。
【請求項７】
請求項１〜６のいずれか一つに記載の鉄骨建方用吊り治具を用いた鉄骨建て込み方法であって、鉄骨を挟持部に挟持させた状態で前記鉄骨建方用吊り治具を吊り上げ、外れ止め機構を解除して挟持部の上側挟持部材を上方向に回動することにより鉄骨を取り外し、所定の位置にこの鉄骨を建て込むことを特徴とする鉄骨建て込み方法。
【請求項８】
挟持部が治具本体の水平方向両側の異なる上下位置に設けられた前記鉄骨建方用吊り治具を用いて所定の位置に鉄骨を建て込む際に、前記鉄骨建方用吊り治具を鉛直軸回りに回転させずに鉄骨を取り外して所定の位置に建て込むことを特徴とする請求項７に記載の鉄骨建て込み方法。
【発明の詳細な説明】
【技術分野】
【０００１】
本発明は、建築現場においてアングル（山形鋼）等の鉄骨を所定の位置に建て込むのに好適な鉄骨建方用吊り治具およびこれを用いた鉄骨建て込み方法に関するものである。
【背景技術】
【０００２】
従来、建築現場において鉄骨を所定の位置に建て込むのに好適な、鉄骨建方用吊り治具およびこれを用いた鉄骨建て込み方法が知られている（例えば、特許文献１参照）。
【０００３】
一方、例えば、建物の屋根のブレース材として用いる鉄骨アングル（山形鋼）の建方をする際には、図１２に示すように、地組にてＨ形鋼の本体鉄骨１（小梁）の中央に４本のアングル２の各一端２ａを、ガセットプレート３を介して予め接合しておく。そして、本体鉄骨１とともにアングル２を、ワイヤ４を介してクレーンで所定の位置まで吊り上げ、アングル２の自由端２ｂを屋根の大梁５に取り付けることが行われている。
【先行技術文献】
【特許文献】
【０００４】
【特許文献１】特許第３３２６７３３号公報
【発明の概要】
【発明が解決しようとする課題】
【０００５】
ところで、上記の従来の鉄骨アングルの建方は、アングル２とガセットプレート３が本体鉄骨１に対して片持ち状態となっており、図１３（ａ）に示すように、吊り上げ時にアングル２が自重で変形してしまうおそれがあった。
【０００６】
また、図１３（ｂ）に示すように、屋根の大梁５のガセットプレート６への取り付けが下方からとなるため、建方時に大梁５へアングル２を接触させるおそれがあるなど、建方における作業性が悪かった。このため、建築現場において、アングルのような鉄骨を所定の位置に安全かつ簡単に建て込むことができる技術の開発が望まれていた。
【０００７】
本発明は、上記に鑑みてなされたものであって、鉄骨を所定の位置に安全かつ簡単に建て込むことができる鉄骨建方用吊り治具およびこれを用いた鉄骨建て込み方法を提供することを目的とする。
【課題を解決するための手段】
【０００８】
上記した課題を解決し、目的を達成するために、本発明の請求項１に係る鉄骨建方用吊り治具は、治具本体に設けられ、長手方向を水平に配置した鉄骨を上下から挟持可能な上側挟持部材と下側挟持部材とからなる挟持部を有する鉄骨建方用吊り治具であって、下側挟持部材は、治具本体に固定され、上側挟持部材は、鉄骨の長手方向に平行な軸周りに回動可能に治具本体に設けられるものであり、挟持部に、上側挟持部材の回動を係止して鉄骨の挟持が解除されることを防ぐ外れ止め機構を設け、上側挟持部材および外れ止め機構はそれぞれスリットを有し、上側挟持部材のスリットに外れ止め機構のスリットを嵌合係止することで、上側挟持部材の回動を係止するものであることを特徴とする。
【０００９】
また、本発明の請求項２に係る鉄骨建方用吊り治具は、上述した請求項１において、挟持部が設けられた治具本体を水平方向に間隔をおいて少なくとも２つ並設して治具本体同士を連結したことを特徴とする。
【００１０】
また、本発明の請求項３に係る鉄骨建方用吊り治具は、上述した請求項１または２において、挟持部を、治具本体の上下方向に所定間隔で複数設けたことを特徴とする。
【００１１】
また、本発明の請求項４に係る鉄骨建方用吊り治具は、上述した請求項１〜３のいずれか一つにおいて、挟持部を、治具本体の水平方向両側の異なる上下位置に設けたことを特徴とする。
【００１２】
また、本発明の請求項５に係る鉄骨建方用吊り治具は、上述した請求項１〜４のいずれか一つにおいて、治具本体に、吊り上げ装置の係合フックが係合するための係合孔を設けたことを特徴とする。
【００１３】
また、本発明の請求項６に係る鉄骨建方用吊り治具は、上述した請求項１〜５のいずれか一つにおいて、挟持部は、長手方向を水平に配置した山形鋼または溝形鋼を上下から挟持可能であることを特徴とする。
【００１４】
また、本発明の請求項７に係る鉄骨建て込み方法は、上述した請求項１〜６のいずれか一つに記載の鉄骨建方用吊り治具を用いた鉄骨建て込み方法であって、鉄骨を挟持部に挟持させた状態で前記鉄骨建方用吊り治具を吊り上げ、外れ止め機構を解除して挟持部の上側挟持部材を上方向に回動することにより鉄骨を取り外し、所定の位置にこの鉄骨を建て込むことを特徴とする。
【００１５】
また、本発明の請求項８に係る鉄骨建て込み方法は、上述した請求項７において、挟持部が治具本体の水平方向両側の異なる上下位置に設けられた前記鉄骨建方用吊り治具を用いて所定の位置に鉄骨を建て込む際に、前記鉄骨建方用吊り治具を鉛直軸回りに回転させずに鉄骨を取り外して所定の位置に建て込むことを特徴とする。
【発明の効果】
【００１６】
本発明によれば、治具本体に設けられ、長手方向を水平に配置した鉄骨を上下から挟持可能な上側挟持部材と下側挟持部材とからなる挟持部を有する鉄骨建方用吊り治具であって、下側挟持部材は、治具本体に固定され、上側挟持部材は、鉄骨の長手方向に平行な軸周りに回動可能に治具本体に設けられるものであり、挟持部に、上側挟持部材の回動を係止して鉄骨の挟持が解除されることを防ぐ外れ止め機構を設けたので、治具本体を所定位置に吊り上げて外れ止め機構を解除し、挟持部から鉄骨を取り外して建て込むことにより、鉄骨を所定の位置に安全かつ簡単に建て込むことができるという効果を奏する。
【図面の簡単な説明】
【００１７】
【図１】図１は、本発明に係る鉄骨建方用吊り治具の実施例を示す斜視図である。
【図２】図２は、図１の要部拡大図である。
【図３】図３は、外れ止め機構を説明する図である。
【図４】図４は、本発明に係る鉄骨建方用吊り治具を示す側面図である。
【図５】図５は、本発明に係る鉄骨建方用吊り治具を示す正面図である。
【図６】図６は、図４の要部拡大図である。
【図７】図７は、外れ止め機構のロックプレートを示す図である。
【図８】図８は、溝形鋼を挟持した鉄骨建方用吊り治具を示す図である。
【図９】図９は、外れ止め機構の動作を説明する図である。
【図１０】図１０は、鉄骨建方用吊り治具を吊り上げる場合を説明する図である。
【図１１】図１１は、本発明によるアングルの建て込み作業を説明する図である。
【図１２】図１２は、従来の建物の屋根のブレース材として用いるアングルの建方の一例を説明する斜視図である。
【図１３】図１３は、従来の課題を説明する斜視図である。
【発明を実施するための形態】
【００１８】
以下に、本発明に係る鉄骨建方用吊り治具およびこれを用いた鉄骨建て込み方法の実施例について、屋根のブレース材を建て込む場合を例にとり、図面に基づいて詳細に説明する。なお、この実施例によりこの発明が限定されるものではない。
【００１９】
図１に示すように、本発明に係る鉄骨建方用吊り治具１０は、鉄骨（ブレース材）としてのアングル２（山形鋼）を建て込むための治具であり、水平方向に間隔をおいて鉛直に立てた２本の治具本体１２と、この２本の治具本体１２を上下で連結する丸パイプ６４とからなる略四角枠状の治具である。治具本体１２には、４本のアングル２をそれぞれ上下から挟持する８個の挟持部１４および外れ止め機構１６が設けてある。こうすることで、屋根ブレース材１スパン分のアングル４本を同時に吊り上げることができる。
【００２０】
挟持部１４は、図２に示すように、上側挟持部材１８と下側挟持部材２０とから構成され、長手方向を水平にしたアングル２を上下から挟持する。上側挟持部材１８は、アングル２の長手方向に平行に通された通しボルト４８を介して治具本体１２に取り付けられ、ボルト４８の軸心周りに回動自在である。下側挟持部材２０は、治具本体１２に固定してある。
【００２１】
外れ止め機構１６は、図３および図７に示すように、スリット６６を有するロックプレート２２からなり、安全対策として設けられる。ロックプレート２２は、上側挟持部材１８に設けられた２つのスリットに嵌合可能に構成され、上側挟持部材１８のいずれかのスリットにスリット６６を嵌合係止することで、上側挟持部材１８の自由な回動を阻止する。こうすることで、建て込み作業中に上側挟持部材１８が不意に上方に回動してアングル２が外れることを防ぐ。
【００２２】
ロックプレート２２は、落下を防止するため、ワイヤ２４を介して治具本体１２に固定してある。具体的には、図３および図７に示すように、ロックプレート２２の隅部には落下防止用ワイヤ用穴２６が設けられ、ワイヤ２４の一端が係止してある。ワイヤ２４の他端は、上側挟持部材１８に設けた落下防止用ワイヤ用穴２８に係止してある。
【００２３】
治具本体１２は、図４および図５に示すように、長手方向を鉛直にした角形鋼管からなり、その上端には、係合孔３２を有する係合孔プレート３０が取り付けてある。係合孔３２は、クレーンなどの吊り上げ装置の係合フックが係合するためのものである。治具本体１２の下端には、底蓋プレート３８が取り付けてある。
【００２４】
また、治具本体１２の上側と下側とには、通しボルト用穴３４が水平方向に開けられており、ボルトを介してクランプ３６が取り付けてある。クランプ３６には図示しない丸パイプ６４が嵌合される。挟持部１４は、治具本体１２の水平方向両側の異なる上下位置、つまり治具本体１２の背向する両側面に、上下方向に互い違いに所定間隔で２箇所ずつ合計４箇所設けてある。
【００２５】
上側挟持部材１８は、図６に示すように、長孔状の第１スリット４４、第２スリット４６が形成された一対の矩形プレートを治具本体１２を挟んで対向配置して構成してある。一対の矩形プレートは、水平に設けた通しボルト４８を介して治具本体１２に設けられ、ボルト４８の軸心周りに回動自在である。
【００２６】
また、上側挟持部材１８の一対の矩形プレートの下側挟持部材２０と対向する側にはプレート状の第２ストッパ４２が設けてあり、矩形プレートの治具本体１２の背面上側（図６中、右上側）にはプレート状の第１ストッパ４０が設けてある。
【００２７】
下側挟持部材２０は、図６に示すように、アングル２を載置可能なＬ形プレート５０と、治具本体１２の正面側に設けられ、Ｌ形プレート５０を治具本体１２に固定するベースプレート５２と、Ｌ形プレート５０とベースプレート５２との間に設けたリブプレート５４とからなる。なお、Ｌ形プレート５０は、固定用プレート５６（図５参照）および図示しないボルトを介してベースプレート５２および治具本体１２に固定される。
【００２８】
アングル２は、Ｌ形プレート５０とベースプレート５２と第２ストッパ４２とが当接することによってがたつきがないように挟持されることとなる。
【００２９】
次に、外れ止め機構１６の動作について図９を参照しながら説明する。
図９（ａ）に示すように、挟持状態にある上側挟持部材１８の第２スリット４６からロックプレート２２を取り外す。そして、上側挟持部材１８をボルト４８の軸心周りに図中時計方向に回動する。
【００３０】
続いて、図９（ｂ）に示すように、ストッパ４２を治具本体１２の外周面に当接し、第１スリット４４にロックプレート２２を嵌合する。この状態で上側挟持部材１８は回動できないようになる。
【００３１】
次に、図９（ｃ）に示すように、アングル２を取り外して建て込みを行う。この場合、取り付け位置にてアングル２を保持した状態でクレーン等で治具本体１２を下降させると、アングル２を簡単に取り外すことができる。
【００３２】
このように、本発明によれば、外れ止め機構１６を解除して上側挟持部材１８を回動することで、アングル２を挟持部１４から簡単に取り外すことができる。このため、アングル２を所定の位置に安全かつ簡単に建て込むことができる。
【００３３】
次に、本発明に係る鉄骨建て込み方法について説明する。
図１０に示すように、４本のアングル（不図示）を挟持した鉄骨建方用吊り治具１０の係合孔３２にクレーンの係合フックを係合し、ワイヤ６０を介して吊り上げる。
【００３４】
そして、図１１に示すように、所定の位置まで吊り上げたら外れ止め機構１６を解除して、挟持部１４の上側挟持部材１８を上方向に回動することによりアングル２を取り外し、このアングル２を屋根の大梁５などに取り付ける。この取り付け作業の都度、クレーン６２で鉄骨建方用吊り治具１０を所定高さ昇降することで、屋根の１スパン分のブレース材としての４本のアングル２を効率的に建て込むことができる。
【００３５】
本実施の形態の鉄骨建方用吊り治具１０では、アングル２の施工向きを考慮して２本、２本をそれぞれ同じ向きに配置してあるので、アングル２をブレース材として設置する際に、吊荷のアングル２を鉛直軸周りに回転させずにアングル２を取り外して所定の位置に建て込むことができるので、建て込み作業を迅速に行うことができる。
【００３６】
上記の実施の形態においては、アングル２のようなＬ字形断面をした山形鋼を挟持する構成について説明したが、山形鋼に限らず、Ｕ字形断面をした溝形鋼や、Ｚ字形断面をしたＺ形鋼を挟持することも可能である。例えば、図８に示すように、溝形鋼３を上側挟持部材１８と下側挟持部材２０とにより挟持することもできる。また、本発明において挟持可能な部材は、上側挟持部材１８と下側挟持部材２０とにより挟持可能な断面形状であれば鉄骨に限らずいかなる材質の部材であってもよい。
【００３７】
また、上記の実施の形態においては、アングル４本を８箇所（＝上下４箇所×左右２箇所）の挟持部で挟持する場合について説明したが、アングル４本に限るものではなく、２箇所の挟持部でアングル１本を挟持する構成としてもよいし、複数本の治具本体を用いて上下左右の複数箇所に挟持部を設け、アングル２本以上を挟持する構成としてもよい。
【００３８】
また、上記の実施の形態においては、鉛直に立てた２本の治具本体を用いた構成について説明したが、これに限るものではなく、鉛直に立てた３本以上の治具本体を連結した構成とすることもできる。
【００３９】
以上説明したように、本発明によれば、治具本体に設けられ、長手方向を水平に配置した鉄骨を上下から挟持可能な上側挟持部材と下側挟持部材とからなる挟持部を有する鉄骨建方用吊り治具であって、下側挟持部材は、治具本体に固定され、上側挟持部材は、鉄骨の長手方向に平行な軸周りに回動可能に治具本体に設けられるものであり、挟持部に、上側挟持部材の回動を係止して鉄骨の挟持が解除されることを防ぐ外れ止め機構を設けたので、治具本体を所定位置に吊り上げて外れ止め機構を解除し、挟持部から鉄骨を取り外して建て込むことにより、鉄骨を所定の位置に安全かつ簡単に建て込むことができる。
【産業上の利用可能性】
【００４０】
以上のように、本発明に係る鉄骨建方用吊り治具およびこれを用いた鉄骨建て込み方法は、建築現場において鉄骨を所定の位置に建て込むのに有用であり、特に、アングル（山形鋼）等の鉄骨を所定の位置に安全かつ簡単に建て込むのに適している。
【符号の説明】
【００４１】
２  山形鋼（鉄骨）
１０  鉄骨建方用吊り治具
１２  治具本体
１４  挟持部
１６  外れ止め機構
１８  上側挟持部材
２０  下側挟持部材
２２  ロックプレート
２４  落下防止用ワイヤ
２６，２８  落下防止用ワイヤ用穴
３０  係合孔プレート
３２  係合孔
３４  通しボルト用穴
３６  クランプ
３８  底蓋プレート
４０  第１ストッパ
４２  第２ストッパ
４４  第１スリット
４６  第２スリット
４８  通しボルト
５０  Ｌ形プレート
５２  ベースプレート
５４  リブプレート
５６  固定用プレート
６０  ワイヤ
６２  クレーン（吊り上げ装置）
６４  丸パイプ
６６  スリット
【図１】
0005614623.tif 000002
【図２】
0005614623.tif 000003
【図３】
0005614623.tif 000004
【図４】
0005614623.tif 000005
【図５】
0005614623.tif 000006
【図６】
0005614623.tif 000007
【図７】
0005614623.tif 000008
【図８】
0005614623.tif 000009
【図９】
0005614623.tif 000010
【図１０】
0005614623.tif 000011
【図１１】
0005614623.tif 000012
【図１２】
0005614623.tif 000013
【図１３】
0005614623.tif 000014